(57)【特許請求の範囲】
【請求項１】
レジンによって歯牙表面に付着されてアーチワイヤ（Ｗ）を選択的に結紮又は結紮解除する自己結紮歯列矯正ブラケット組立体であって、
歯牙表面に対応する曲面形状の底面を有するベース（１１０）、アーチワイヤ（Ｗ）が着座される着座溝（１４０）が形成された陷沒型のスライド部（１３１）を前記ベース（１１０）の上側前方に形成するように、前記ベース（１１０）の上側前方の左右側に備えられた一対のガイド壁（１３０、１３０）、及び前記ベース（１１０）の上側後方に形成されて前記スライド部（１３１）を仕上げるストッパー壁（１２０）を一体的に含む本体ブロック（１００）と、
前記着座溝（１４０）にスライド可能に挿入及び着座された前記アーチワイヤ（Ｗ）を着座状態で選択的に結紮するか又は結紮解除するように、前記スライド部（１３１）にスライド可能に結合され、底面から上方に陷沒して形成された結合溝（２５０）及び前記結合溝（２５０）の一側端部から一定距離だけ離れて段差を形成するように上方に陷沒して形成されたガイド溝（２６０）を有する結紮ブロック（２００）と、
前記スライド部（１３１）上に連続的に形成された仮組立突起（１３５）及び完組立突起（１３７）、及び前記仮組立突起（１３５）及び前記完組立突起（１３７）と共同して前記アーチワイヤ（Ｗ）を選択的に結紮及び結紮解除するリテーナー（３００）を含む結紮手段とを備え、
前記リテーナー（３００）は中央に固定孔（３３０）が形成された中空の四角板状に形成され、前記固定孔（３３０）の一側のストッパー片（３５０）が前記結合溝（２５０）に結合固定され、前記固定孔（３３０）の他側の係止遊動片（３１０）は中央の分割孔（３２０）によって一対に分割され、
前記結紮ブロック（２００）が前記スライド部（１３１）上でスライドしながら前進するとき、前記係止遊動片（３１０）は前記ガイド溝（２６０）側に弾性的に変形及び復元しながら前記仮組立突起（１３５）及び前記完組立突起（１３７）を順次越え、
前記ベース（１１０）の底面は、縁部（１１１）と、前記縁部（１１１）の内側中央に形成された中央陷沒部（１１２）と、前記縁部（１１１）の内側の外郭に形成され、前記中央陷沒部（１１２）とともに二重段差構造を形成する外郭陷沒部（１１３）と、前記中央陷沒部（１１２）の底面又は前記外郭陷沒部（１１３）の底面から突出した複数の接合突部（１１４、１１５、１１６、１１７、１１８）とを含み、
前記複数の接合突部（１１４、１１５、１１６、１１７、１１８）は、４個の直線部が９０度で交わる一つ以上の十字形接合突部（１１４）と、３個の直線部が９０度で交わる一つ以上のＴ形接合突部（１１５）と、２個の直線部がおよそ９０度で交わる一つ以上のＬ形接合突部（１１６）とを含み、
前記ベース（１１０）の底面と歯牙表面との間のレジンのうち中央領域のレジンが外郭領域のレジンより少なく圧縮されるように、前記中央陷沒部（１１２）の陷沒深さは前記外郭陷沒部（１１３）の陷沒深さより大きいことを特徴とする、自己結紮歯列矯正ブラケット組立体。
【請求項２】
前記リテーナー（３００）を覆った状態で前記結紮ブロック（２００）の下面に付着され、前記結紮ブロック（２００）が前記スライド部（１３１）にスライド可能に結合されるまで前記リテーナー（３００）を前記結紮ブロック（２００）の下面に付着状態で維持させる接着フィルム（２）をさらに備え、
前記スライド部（１３１）には、前記リテーナー（３００）が組み立てられた前記結紮ブロック（２００）が前記スライド部（１３１）上でスライドするとき、前記接着フィルム（２）を長手方向にカットするカットエッジ（３）が形成されることを特徴とする、請求項１に記載の自己結紮歯列矯正ブラケット組立体。
【請求項３】
前記十字形接合突部（１１４）、前記Ｔ形接合突部（１１５）及び前記Ｌ形接合突部（１１６）のそれぞれは二つの直線部が交わる領域に内側交差角部及び外側交差角部が形成され、前記十字形接合突部（１１４）、前記Ｔ形接合突部（１１５）及び前記Ｌ形接合突部（１１６）のそれぞれは、底面に形成されたままで前記内側交差角部（７）と前記中央陷沒部（１１２）又は前記外郭陷沒部（１１３）の底面が交わる点付近に隣接するように形成されたレジン排出口（９）まで連結されたレジン流入孔（８）を含み、前記縁部（１１１）には、前記縁部（１１１）の外側面から前記縁部（１１１）の内側面まで連結されるようにレジン流出入通路（６）がさらに形成されることを特徴とする、請求項１に記載の自己結紮歯列矯正ブラケット組立体。
【発明の詳細な説明】
【技術分野】
【０００１】
本発明は自己結紮歯列矯正ブラケット組立体に関するもので、より詳しくは結紮が容易であり、調整要求の際、簡便に結紮状態を解除した後、再び結紮させることができ、また本体ブロックのベースと歯牙表面との間に最適量のレジンが均一な分布で十分に介在され、堅牢に歯牙に付着されることができる歯列矯正ブラケット組立体に関するものである。
【背景技術】
【０００２】
上顎及び下顎の歯牙が一様ではないか正常にかみ合わない状態を不正咬合と言う。不正咬合の場合、外観が良くないだけでなく、機能的にも飲食物をよく噛むことを妨げ、発音に悪い影響を及ぼす。さらに、不正咬合をずっと放置すれば、虫歯又は歯茎疾患を引き起こし、身体の他の部分にも悪影響を及ぼして様々な他の疾病を引き起こすか悪化させることができる。
【０００３】
このような不正咬合の治療のために歯列矯正術を用いる。歯列矯正術は、歯列矯正器を用いて不規則的に配列された歯牙に持続的な力を加えることにより、歯牙を所望の位置に少しずつ動かして歯牙の配列を正常にする矯正方法を言う。歯列矯正器は、歯牙の表面に直接付着されるブラケット（ｂｒａｃｋｅｔ）と、ブラケットに結合されて歯牙に所定の圧力又は張力を提供するアーチワイヤ（ａｒｃｈｗｉｒｅ）とを含む。歯列矯正のために、前記アーチワイヤに加わる圧力及び張力とその方向を多様に調節することができ、その調節された圧力及び張力とその方向によって前記対象の歯牙を徐々に移動させることができるものである。
【０００４】
図１は通常的な歯列矯正方法を説明するための概念図であり、歯牙の矯正方式を全体的に示す。図１に基づき、近来一般的に行われている歯列矯正方式を説明する。
【０００５】
まず、歯牙矯正の対象となる対象歯牙１０を中心として、対象歯牙１０の表面にはブラケット２０が付着されている。
【０００６】
前記ブラケット２０はアーチワイヤ３０によって連結され、前記対象歯牙１０に対して持続的な張力を与えるために、アーチワイヤ３０に弾性部３２を形成するか、輪ゴム４０を用いて張力の方向を調整することもできる。
【０００７】
また、前記弾性部３２は、アーチワイヤ３０の一部をＵ字形、Ｐ字形、Ｒ字形などの多様な形状に曲げることによって形成することができ、固定点（ｆｉｘｅｄ  ｐｏｉｎｔ）と歯牙１０との間に微細な張力又はねじり（ｔｏｒｓｉｏｎ）を付与することにより、歯牙１０の位置を移動させることができ、歯牙１０の姿勢を変更させることができる。
【０００８】
一方、歯列矯正を進めているうち、アーチワイヤ３０は固定点（ｆｉｘｅｄ  ｐｏｉｎｔ）に連結されており、所定の圧力及び張力を提供するアーチワイヤ３０によって前記ブラケット２０及び歯牙１０が微細に移動するようになる。
【０００９】
ここで、歯牙１０が動く方向に歯牙１０を取り囲んでいる骨の骨組職は徐々に吸収され、反対側では新しい骨組職が形成されて空間を満たすようになる。
【００１０】
このように、骨細胞の消滅及び生成の過程が繰り返され、その過程で前記対象歯牙１０が微細に移動するのに従い、歯牙が徐々に矯正される。
【００１１】
前記のような矯正方式で行われる歯列矯正は前述したような生物学的治療を伴うものなので、その治療に長期間、概して２年前後を必要とすると知られている。
【００１２】
一方、前記のように歯列矯正に長期間を必要とする反面、他人との対話の際に対象歯牙の表面に付着されたブラケット２０が外部に現れるので、従来の金属ブラケットは徐々になくなり、透明な素材のブラケットを好んでいる趨勢である。
【００１３】
最近、歯列矯正過程でアーチワイヤを上から覆って外部から観察されないようにする自己結紮歯列矯正ブラケットが紹介されたことがある。
【００１４】
前記のようなブラケットは外部からアーチワイヤがよく観察されなくて美的満足感を付与する利点があるが、歯牙の矯正状態によって、前記アーチワイヤの位置を異にするか、アーチワイヤの引張力を異にするか、他の必要によって、前記アーチワイヤを補修しなければならない場合、操作しにくい問題があった。したがって、アーチワイヤの結紮が容易であるとともに、アーチワイヤの最初結紮又は調整が必要であるとき、簡便に結紮状態を解除した後、再び結紮させることができ、これにより歯列矯正治療及び手術の効率性をもっと向上させることができるようにした自己結紮歯列矯正用ブラケット組立体に対する研究及び開発が要求される実情である。
【００１５】
一方、自己結紮歯列矯正ブラケット組立体は、歯列矯正を行っているうち歯牙の表面から易しく脱落されてはいけない。また、歯列矯正が完了した後には、歯列矯正ブラケット組立体が歯牙の表面を損傷させずに歯牙の表面から容易に分離されなければならない。歯列矯正中に歯列矯正ブラケット組立体が歯牙の表面によく付いているためには、最適量の接着用レジンが均一な分布で歯列矯正ブラケット組立体の本体ブロックのベースと歯牙の表面との間に介在されていなければならない。ベースと歯牙表面との間の十分な接合力を得るために、ベースの底面に規則的な一定のパターンの突出部を形成した技術が従来に提案されたことがある。このような従来技術において、突出部は歯牙表面に対応する接合表面を有する。そして、突出部の下側の陷沒部は歯牙との間にもっと大きな厚さのレジンが介在されることを許す。ところで、突出部は位置によって歯牙表面によって異なる接合条件を有しなければならないが、形状が全部一定であって多様な接合条件や多様な接合環境を満たしにくい。また、ブラケット組立体を歯牙表面から分離するとき、歯牙表面が損傷されないことが良い。ところが、従来には、ベースの底面の外郭は歯牙表面の損傷なしに歯牙表面からよく分離されることができるが、ベースの中央領域では強く圧縮されたレジンが歯牙表面からなかなか分離されないから、無理やりに分離させれば歯牙表面を損傷させる場合が多かった。
【先行技術文献】
【特許文献】
【００１６】
【特許文献１】韓国公開特許第１０−２０１２−０１１０９８２号公報
【特許文献２】韓国公開特許第１０−２０１５−０１０６４０３号公報
【特許文献３】韓国公開特許第１０−２０１９−０００８７０８号公報
【発明の概要】
【発明が解決しようとする課題】
【００１７】
したがって、本発明が解決しようとする課題は、結紮が容易であり、本体ブロックのベースと歯牙表面との間に最適量のレジンが均一な分布で十分に介在され、堅牢に歯牙に付着されることができ、歯牙表面の損傷なしに歯牙表面からよく分離されることができる歯列矯正ブラケット組立体を提供することである。
【課題を解決するための手段】
【００１８】
本発明の一側面によって、レジンによって歯牙表面に付着されてアーチワイヤを選択的に結紮又は結紮解除する自己結紮歯列矯正ブラケット組立体が提供される。前記組立体は、歯牙表面に対応する曲面形状の底面を有するベース、アーチワイヤが着座される着座溝が形成された陷沒型スライド部を前記ベースの上側前方に形成するように、前記ベースの上側前方の左右側に備えられた一対のガイド壁、及び前記ベースの上側後方に形成されて前記スライド部を仕上げるストッパー壁を一体的に含む本体ブロックと、前記着座溝にスライド可能に挿入及び着座された前記アーチワイヤを着座状態で選択的に結紮するか又は結紮解除するように、前記スライド部にスライド可能に結合され、底面から上方に陷沒して形成された結合溝及び前記結合溝の一側端部から一定距離だけ離れて段差を形成するように上方に陷沒して形成されたガイド溝を有する結紮ブロックと、前記スライド部上に連続的に形成された仮組立突起及び完組立突起、及び前記仮組立突起及び前記完組立突起と共同して前記アーチワイヤを選択的に結紮及び結紮解除するリテーナーを含む結紮手段とを備え、前記リテーナーは中央に固定孔が形成された中空の四角板状に形成され、前記固定孔の一側のストッパー片が前記結合溝に結合固定され、前記固定孔の他側係止遊動片は中央の分割孔によって一対に分割され、前記結紮ブロックが前記スライド部上でスライドしながら前進するとき、前記係止遊動片は前記ガイド溝側に弾性的に変形及び復元しながら前記仮組立突起及び完組立突起を順次越え、前記ベースの底面は、縁部と、前記縁部の内側中央に形成された中央陷沒部と、前記縁部の内側の外郭に形成され、中央陷沒部とともに二重段差構造を形成する外郭陷沒部と、前記中央陷沒部の底面又は前記外郭陷沒部の底面から突出した複数の接合突部とを含み、前記複数の接合突部は、４個の直線部が９０度で交わる一つ以上の十字形接合突部と、３個の直線部が９０度で交わる一つ以上のＴ形接合突部と、２個の直線部がおよそ９０度で交わる一つ以上のＬ形接合突部とを含み、前記ベースの底面と歯牙表面との間のレジンのうち中央領域のレジンが外郭領域のレジンより少なく圧縮されるように、前記中央陷沒部の陷沒深さは前記外郭陷沒部の陷沒深さより大きい。
【００１９】
一実施例によって、前記リテーナーを覆った状態で前記結紮ブロックの下面に付着され、前記結紮ブロックが前記スライド部にスライド可能に結合されるまで前記リテーナーを前記結紮ブロックの下面に付着状態で維持させる接着フィルムをさらに備え、前記スライド部には、前記リテーナーが組み立てられた前記結紮ブロックが前記スライド部上でスライドするとき、前記接着フィルムを長手方向にカットするカットエッジが形成される。
【００２０】
一実施例によって、前記十字形接合突部、前記Ｔ形接合突部及び前記Ｌ形接合突部のそれぞれは二つの直線部が交わる領域に内側交差角部及び外側交差角部が形成され、前記十字形接合突部、前記Ｔ形接合突部及び前記Ｌ形接合突部のそれぞれは、底面に形成されたままで前記内側交差角部と前記中央陷沒部又は前記外郭陷沒部の底面が交わる点付近に隣接するように形成されたレジン排出口まで連結されたレジン流入孔を含み、前記縁部には、前記縁部の外側面から前記縁部の内側面まで連結されるようにレジン流出入通路がさらに形成される。
【発明の効果】
【００２１】
本発明による自己結紮歯列矯正ブラケット組立体は、本体ブロックのベースと歯牙表面との間に最適量のレジンが均一な分布で十分に介在され、堅牢に歯牙に付着されることができ、歯牙表面の損傷なしに歯牙表面からよく分離されることができる利点を有する。
【図面の簡単な説明】
【００２２】
【図１】通常的な歯列矯正方法を説明するための概念図である。
【図２】本発明の一実施例による自己結紮歯列矯正ブラケット組立体の自己結紮中の状態を示す断面図である。
【図３】本発明の一実施例による自己結紮歯列矯正ブラケット組立体の自己結紮完了状態を示す断面図である。
【図４】自己結紮歯列矯正ブラケット組立体の結紮ブロックとリテーナーを分解して示す分解図である。
【図５】図４に示したリテーナーの平面図である。
【図６】本発明の一実施例による自己結紮歯列矯正ブラケット組立体をベースの底面が見えるように示す底面斜視図である。
【図７】本発明の一実施例による自己結紮歯列矯正ブラケット組立体の底面図である。
【発明を実施するための形態】
【００２３】
以下、添付図面に基づいて本発明による自己結紮歯列矯正ブラケット組立体の好適な実施例を詳細に説明する。
【００２４】
図２は本発明の一実施例による自己結紮歯列矯正ブラケット組立体の自己結紮中の状態を示す断面図、図３は本発明の一実施例による自己結紮歯列矯正ブラケット組立体の自己結紮完了状態を示す断面図、図４は自己結紮歯列矯正ブラケット組立体の結紮ブロックとリテーナーを分解して示す分解図、図５は図４に示したリテーナーの平面図、図６は本発明の一実施例による自己結紮歯列矯正ブラケット組立体をベースの底面が見えるように示す底面斜視図、図７は本発明の一実施例による自己結紮歯列矯正ブラケット組立体の底面図である。
【００２５】
図２〜図７に示すように、本発明の一実施例による自己結紮歯列矯正ブラケット組立体は、歯列矯正の際に、歯牙表面に付着され、アーチワイヤＷを選択的に結紮又は結紮解除することができるようにするものであり、本体ブロック１００と、結紮ブロック２００と、結紮手段とを含む。
【００２６】
ここで、前記本体ブロック１００は、接着性レジン（又は接着剤）によって歯牙表面に付着され、歯牙の配列方向にアーチワイヤＷが着座できるように歯牙表面に対応する曲面形状の底面を有するベース１１０と、一つの陷沒型スライド部１３１を前記ベース１１０の上側前方に形成するように、前記ベース１１０の上側前方の左右側に備えられた一対のガイド壁１３０（一つのみ図示）と、前記ベース１１０の上側後方に形成されて前記スライド部１３１を仕上げるストッパー壁１２０とを一体的に含む。詳細に示されてはいないが、前記一対のガイド壁１３０、１３０の内面には前後方向に沿ってレール溝が形成されることができる。また、前記一対のガイド壁１３０、１３０及び前記スライド部１３１を含む上側前方構造物と前記ストッパー壁１２０との間には、正方形又は長方形断面を有するアーチワイヤＷが着座される着座溝１４０が形成される。
【００２７】
一方、前記結紮ブロック２００は、前記着座溝１４０にスライド可能に挿入及び着座された前記アーチワイヤＷを着座状態で選択的に結紮するか又は結紮解除するように、前記スライド部１３１にスライド可能に結合される。前記結紮ブロック２００の上面は前記ガイド壁１３０の上端内側角面に対応する形状を有し、前記結紮ブロック２００が前記一対のガイド壁１３０、１３０の内側のスライド部１３１に完全に型合してアーチワイヤＷを結紮させたときには、前記結紮ブロック２００の上部球面と前記本体ブロック１００の外側球面が合致してより大きな球面を形成することができる。前記結紮ブロック２００の両側面は前記一対のガイド壁１３０の内側面にスライド可能に接する平面からなる。
【００２８】
一方、前記結紮手段は、前記結紮ブロック２００のスライド結合の際、順次的な仮組立、完組立及び完組立解除の過程により、前記本体ブロック１００に対して選択的に前記結紮ブロック２００が前記アーチワイヤＷを結紮又は結紮解除するように構成される。本実施例で、前記結紮手段は、仮組立突起１３５と、完組立突起１３７と、リテーナー３００とを含むことが好ましい。
【００２９】
具体的に、前記仮組立突起１３５と前記完組立突起１３７は前記本体ブロック１００のスライド部１３１上に一定の間隔で突設される。
【００３０】
また、前記リテーナー３００は前記結紮ブロック２００の下部から上方に結合固定され、一端を基準に他端が弾性的に上下に変形してから復元しながら前記仮組立突起１３５と完組立突起１３７を順次越えて係止された後、選択的に前記完組立突起１３７を越えて仮組立突起１３５に係止されることにより、前記アーチワイヤＷを選択的に結紮及び結紮解除することができる。
【００３１】
前述したような構成を有する本発明による自己結紮歯列矯正ブラケット組立体において、特に前記結紮ブロック２００は前記本体ブロック１００の上部にスライド結合され、前記リテーナー３００が下部から上方に結合固定され、一端を基準に他端が弾性的に上下に変形及び復元するようにすることが重要である。
【００３２】
このために、前記結紮ブロック２００は底面から上方に陷沒して結合溝２５０が形成され、前記結合溝２５０の一側端部から一定距離だけ離れて段差を形成するように、ガイド溝２６０が上方に陷沒して形成されることが好ましい。
【００３３】
一方、前記リテーナー３００は、中央に固定孔３３０が形成された中空の四角板として提供され、前記固定孔３３０の一側ストッパー片３５０が前記結合溝２５０の段差側に結合固定され、前記固定孔３３０の他側の係止遊動片３１０は前記結合溝２５０の段差側の反対側に結合固定され、このような結合固定は締まりばめ方式で結合固定されることが好ましい。
【００３４】
言い換えれば、前記のような固定孔３３０の一側と他側にそれぞれストッパー片３５０と係止遊動片３１０が備えられるリテーナー３００は、前記係止遊動片３１０が選択的に前記ガイド溝２６０側に弾性的に変形及び復元しながら前記仮組立突起１３５と完組立突起１３７を順次越えるように構成される。
【００３５】
前記リテーナー３００が前記結合溝２５０に締まりばめ方式で挿入されて組み立てられるが、前記リテーナー３００が組み立てられた前記結紮ブロック２００が前記本体ブロック１００のスライド部１３１にスライド可能に結合されるまでは前記リテーナー３００が離脱するおそれがある。前記結紮ブロック２００が前記スライド部１３１にスライド可能に結合され、前記一対のガイド壁１３０に形成されたレール溝に前記結紮ブロック２００の側面のレール突部がスライド可能に挿入された状態では前記リテーナー３００が離脱するおそれがない。したがって、本実施例では、前記結紮ブロック２００が前記スライド部１３１にスライド可能に結合されるまで前記リテーナー３００を前記結紮ブロック２００の下面に付着状態で維持させる接着フィルム２を備える。前記接着フィルム２は前記リテーナー３００を覆った状態で前記結紮ブロック２００の下面に付着されて前記リテーナー３００を前記結紮ブロック２００の結合溝２５０に一層確かに維持させる。一方、スライド部１３１にはカットエッジ３が形成され、前記リテーナー３００が組み立てられた前記結紮ブロック２００が前記スライド部１３１上でスライドするとき、前記接着フィルム２を長手方向にカットして前記リテーナー３００が前述したようなリテーナー３００の本来の役割をすることができるようにする。２片に分割された接着フィルム２は容易に除去可能な状態となる。
【００３６】
前述したような構成を有する本発明による自己結紮歯列矯正ブラケット組立体において、特に前記仮組立突起１３５は、前記本体ブロック１００に対する前記結紮ブロック２００のスライド結合によるアーチワイヤＷの結紮のためのスライドの際、前記リテーナー３００の係止遊動片３１０が越えるように案内するとともに、前記結紮ブロック２００の結紮解除のために逆にスライドさせるとき、前記リテーナー３００の係止遊動片３１０が係止されるようにすることが重要である。
【００３７】
したがって、前記仮組立突起１３５は、一側に傾斜面部１３５ａが形成され、他側には垂直面部１３５ｂが形成されることが好ましい。
【００３８】
また、前記完組立突起１３７は、前記本体ブロック１００に対する前記結紮ブロック２００のスライド結合によるアーチワイヤＷの結紮及び結紮解除のためのスライドの際、前記リテーナー３００の係止遊動片３１０が越えることを案内するように両側に傾斜面部１３７ａ、１３７ｂが形成されることが好ましい。
【００３９】
このような完組立突起１３７は、特に前記係止遊動片３１０が越えた後に係止される側の前記傾斜面部１３７ａがその反対側の傾斜面部１３７ｂより大きな傾きを有するように斜めに形成されることが好ましく、これにより、前記係止遊動片３１０が越えた後、前記傾斜面部１３７ａによって係止される係止遊動片３１０は一定の荷重以上の力を加えるときにのみ逆方向に前記係止遊動片３１０が越えていくことができるようになる。
【００４０】
一方、前記のような本発明による自己結紮歯列矯正ブラケット組立体の前記リテーナー３００の係止遊動片３１０は中央に所定長さにわたって分割孔３２０が形成されて一対に分割されることが好ましい。
【００４１】
すなわち、前記係止遊動片３１０の中央に所定長さにわたって分割孔３２０が形成されて一対に分割されることにより、前記仮組立突起１３５と完組立突起１３７に対して前記リテーナー３００の係止遊動片３１０が越える過程で小さな力のみでも弾性的な変形及び復元が可能である。前述したスライドの際、前記分割孔３２０により、前記カットエッジ３と前記リテーナー３００との間には衝突や干渉が発生しない。
【００４２】
さらに、前述したような構成を有する本発明による自己結紮歯列矯正ブラケット組立体は、前記本体ブロック１００が歯牙表面に付着されるとき、堅固に付着されることが重要である。
【００４３】
したがって、前記本体ブロック１００は、歯牙表面への付着の際に付着面積が増大するように、前記本体ブロック１００の歯牙表面に対する接合面、すなわち前記ベース１１０の底面は歯牙表面に対応する曲面を有する。
【００４４】
一方、接着性を有するレジン（又は接着剤）により、前記自己結紮歯列矯正ブラケット組立体の本体ブロック１００が歯牙表面に付着される。本体ブロック１００の下部、より具体的にはベース１１０の底面は、縁部１１１と、前記縁部１１１の内側中央に形成された中央陷沒部１１２と、前記縁部１１１の内側の外郭、すなわち前記縁部１１１と前記中央陷沒部１１２との間に形成された外郭陷沒部１１３とを含む。前記中央陷沒部１１２と前記外郭陷沒部１１３が前記ベース１１０の底面に二重段差構造を形成する。
【００４５】
前記中央陷沒部１１２の陷沒深さは前記外郭陷沒部１１３の陷沒深さより大きい。前記ベース１１０の底面と歯牙表面との間にレジンを介在させて自己結紮歯列矯正ブラケット組立体を歯牙表面に付着するに際して、自己結紮歯列矯正ブラケット組立体を歯牙表面に対して加圧することにより、ベース１１０の底面と歯牙表面との間のレジンが圧縮され、陷沒深さが最大である中央陷沒部１１２でレジンが最も小さく圧縮される。
【００４６】
二重段差構造を適用しなければ、ベースの外郭領域で歯牙表面との付着強度が低くてこの部分で歯牙表面から取り外されるおそれが高く、一方、中央領域では歯牙表面との付着強度が不必要に高くなり、自己結紮歯列矯正ブラケット組立体を歯牙表面から分離しようとするとき、歯牙表面を損傷させることになる。
【００４７】
しかし、本実施例によれば、中央陷沒部１１２ではレジンが少なく圧縮されて付着強度が相対的に低下し、一方、外郭陷沒部１１３ではレジンがもっと圧縮されて付着強度が相対的に高くなることにより、ベース１１０の底面全領域にわたって歯牙表面に対する付着強度がより均一になることができる。
【００４８】
また、前記ベース１１０の底面は、前記縁部１１１の内側に位置し、前記中央陷沒部１１２の底面又は前記外郭陷沒部１１３の底面から突出した複数の接合突部１１４、１１５、１１６、１１７、１１８を含む。前記複数の接合突部１１４、１１５、１１６、１１７、１１８のそれぞれは歯牙表面に相応する接合表面を有し、接合突部１１４、１１５、１１６、１１７、１１８の接合表面と歯牙表面との間にレジンが介在される。前述したように、前記縁部１１１の底面と歯牙表面との間にもレジンが介在される。
【００４９】
既存には、歯牙表面の曲面形態にかかわらず、同じ形態（パターン）を有する接合突部がベースの底面に一定のパターンに規則的に形成されるので、むしろ均一な付着強度を得ることが難しかった。本発明によれば、歯牙表面の条件などの多様な条件に応じて均一な付着強度を得ることができるように、多様な形状（パターン）を有する接合突部１１４、１１５、１１６、１１７、１１８が多様な条件に応じて非規則的にベース１１０の底面に提供される。
【００５０】
本実施例で、前記複数の接合突部１１４、１１５、１１６、１１７、１１８は、４個の直線部がおよそ９０度で交わる一つ以上の十字形接合突部１１４と、３個の直線部がおよそ９０度で交わる一つ以上のＴ形接合突部１１５と、２個の直線部がおよそ９０度で交わる一つ以上のＬ形接合突部１１６と、１個の直線部のみからなる一つ以上のＩ形接合突部１１７と、円形又は正方形の断面を有するドット形接合突部１１８とを含む。十字形接合突部１１４は、４個の直線部によって同じ面積に４分割された領域にレジンが均一に分布されるので、付着条件が相対的に均一な領域でレジンを均一に分布させるのに非常に有利である。直線部が９０度ではない他の角度で交わる接合突部もあり得るが、この場合、二つの直線部間の角度が９０度を超える領域では問題がないが、二つの直線部間の角度が９０度未満の領域が発生し、この領域ではレジンの表面張力によって直線部が交わるコーナー付近までレジンが十分に供給されにくいので不利である。Ｔ形接合突部１１５とＬ形接合突部１１６は十字形接合突部１１４を適用しにくい領域に提供することができる。Ｔ形接合突部１１５とＬ形接合突部１１６も直線部が交わる角度が９０度に決定され、これもレジンがコーナーまで均一に供給されるようにするためのものである。Ｉ形接合突部１１７とドット形接合突部１１８は補完的に適用されるものであり、省略することができる。
【００５１】
十字形接合突部１１４、Ｔ形接合突部１１５及びＬ形接合突部１１６のような直交型接合突部は二つの直線部が交わる領域に内側交差角部７と外側交差角部が形成される。ここで、前記内側交差角部７が前記中央陷沒部１１２の底面又は前記外郭陷沒部１１３の底面と交わるコーナー領域までレジンが円滑に供給されにくい。よって、十字形接合突部１１４、Ｔ形接合突部１１５及びＬ形接合突部１１６のような直交型接合突部の底面、すなわち接合領域にはレジン流入孔８が形成され、前記レジン流入孔８は前記内側交差角部７と前記中央又は外郭陷沒部１１２及び／又は１１３の底面が交わる点付近に隣接するように形成されたレジン排出口９まで連結されている。前記本体ブロック１００のベース１１０がレジンによって歯牙表面に付着されるとき、十字形接合突部１１４、Ｔ形接合突部１１５及びＬ形接合突部１１６の底面、すなわち接合表面と歯牙表面との間に介在されていたレジンが前記レジン流入孔８を通して流入し、前記レジン排出口９を通して前記内側交差角部７と前記中央及び／又は外郭陷沒部１１２及び／又は１１３の底面が交わるコーナー付近に供給されることにより、形状のためレジンの供給が容易でなかったコーナー領域にまでレジンを円滑に供給することが可能である。また、前記レジン流入孔８はベース１１０と歯牙表面との間の付着力を高める役割をすることができる。
【００５２】
また、前記縁部１１１の外側面から前記縁部１１１の内側面まで連結されるレジン流出入通路６がさらに形成される。前記レジン流出入通路６は、前記本体ブロック１００のベース１１０を歯牙表面に付着するとき、前記レジン流出入通路６を通してレジンが流出するかどうかを確認することができるようにする。レジン流出がある場合、レジン供給量が十分であると判断する。ただ、レジン流出がない場合、レジン量が十分ではないものなので、前記レジン流出入通路６を通してレジンを補充することができる。前記ベース１１０の領域を前記レジン流出入通路６に隣接している領域とその反対側の領域とに分けて見るとき、前記レジン流出入通路６に隣接している領域の接合突部１１４、１１５、１１６、１１７、１１８の密度が低いことが好ましい。これはレジンが円滑に補充されることを助ける。また、前記レジン流出入通路６に最も隣接した外郭陷沒部１１３の深さが残りの外郭陷沒部１１３の深さより大きく、前記レジン流出入通路６の反対側の外郭陷沒部１１３の深さが最も小さいことが好ましい。
【００５３】
以上で本発明の具体的な実施例を詳細に説明したが、本発明はこれに限定されるものではなく、本発明は本発明が属する技術分野で通常の知識を有する者によって多様な変形実施が可能であり、このような変形は本発明の範囲に属する。
【符号の説明】
【００５４】
２  接着フィルム
３  カットエッジ
６  レジン流出入通路
８  レジン流入孔
９  レジン排出口
１００  本体ブロック
１１０  ベース
１１１  縁部
１１２  中央陷沒部
１１３  外郭陷沒部
１１４、１１５、１１６、１１７、１１８  接合突部
３００  リテーナー
３１０  係止遊動片
３２０  分割孔
３３０  固定孔
３５０  ストッパー片
Ｗ  アーチワイヤ
【図１】
0006983435.tif 000002
【図２】
0006983435.tif 000003
【図３】
0006983435.tif 000004
【図４】
0006983435.tif 000005
【図５】
0006983435.tif 000006
【図６】
0006983435.tif 000007
【図７】
0006983435.tif 000008